(57)【要約】【課題】撮影監視機能を備え、且つ一般の電源供給コンセントに取り付けることができ、偽装の効果を兼ね備えた、電源供給コンセントを用いた監視録画装置の提供。【解決手段】カメラ装置と表示録画装置を含み、そのうち前記カメラ装置はカメラモジュール、映像圧縮モジュール及び第一電力線通信モジュール（PLC）を内蔵し、前記表示録画装置は表示録画モジュール、保存装置、プロセッサ、映像解凍モジュール及び第二電力線通信モジュール（PLC）を内蔵し、そのうち、前記カメラ装置は収容空間を備えた照明カメラ設備（例：照明装置、ナイトライト）内に設置され、前記照明カメラ設備の電源プラグが一般の電源供給コンセントに対応し、この撮影監視機能を備え、且つ一般の電源供給コンセントに取り付け可能な照明カメラ設備により、前記照明カメラ設備は偽装の効果を備えているだけでなく、画像伝送ケーブルを必要としない状況下で簡単に監視録画システムの設置を完了することができる。【選択図】図５
0003147260.tif 000002
【実用新案登録請求の範囲】
【請求項１】
電源供給コンセントを用いた監視録画装置であって、前記監視録画装置がカメラ装置と表示録画装置を含み、そのうち前記カメラ装置にカメラモジュール、映像圧縮モジュール及び第一電力線通信モジュール（PLC）が内蔵され、前記表示録画装置に表示録画モジュール、映像解凍モジュール及び第二電力線通信モジュール（PLC）が内蔵され、そのうち、前記カメラ装置が収容空間を備えた照明カメラ設備内に設置され、前記照明カメラ設備の電源プラグが一般の電源供給コンセントに対応することを特徴とする、電源供給コンセントを用いた監視録画装置。
【請求項２】
前記照明カメラ設備が照明装置であり、前記照明装置がランプ殻体と基板体を含み、前記ランプ殻体に前記カメラ装置を設置することができる収容空間が設けられ、且つ前記殼体の一端に一般の電源供給コンセントに対応する電源プラグが設置され、前記基板体に複数の光源部材が設置され、且つ前記基板体のあらかじめ定めた位置に開口が設けられ、前記開口箇所に前記カメラ装置に連結されたレンズが設置されたことを特徴とする、請求項１に記載の電源供給コンセントを用いた監視録画装置。
【請求項３】
前記光源部材が感光部材で周囲の明度を感知し、自動的に起動可能な環状に設置された複数のLEDランプであることを特徴とする、請求項２に記載の電源供給コンセントを用いた監視録画装置。 
【請求項４】
前記光源部材が環状に設置された複数のLEDランプであることを特徴とする、請求項２に記載の電源供給コンセントを用いた監視録画装置。
【請求項５】
複数の前記LEDランプが可視光または赤外線のいずれかであることを特徴とする、請求項１3に記載の電源供給コンセントを用いた監視録画装置。 
【請求項６】
前記照明カメラ設備が夜間照明に用いるナイトライトとすることができることを特徴とする、請求項１に記載の電源供給コンセントを用いた監視録画装置。
【請求項７】
前記ナイトライト内に前記カメラ装置を設置することができる収容空間を設けたことを特徴とする、請求項６に記載の電源供給コンセントを用いた監視録画装置。
【請求項８】
前記ナイトライトのあらかじめ定めた位置に前記カメラ装置と連結されたレンズを設置したことを特徴とする、請求項６に記載の電源供給コンセントを用いた監視録画装置。
【請求項９】
前記ナイトライトのあらかじめ定めた位置に一般の電源供給コンセントに対応する電源プラグを設けたことを特徴とする、請求項６に記載の電源供給コンセントを用いた監視録画装置。
【考案の詳細な説明】
【技術分野】
【０００１】
本考案は監視録画装置に関し、特に撮影監視機能を備え、且つ一般の電源供給コンセントに取り付けることができる照明カメラ設備であって、前記照明カメラ設備は偽装の効果を兼ね備えているだけでなく、画像伝送ケーブルを取り付ける必要もなく、簡単に監視録画システムの設置が可能な、電源供給コンセントを用いた監視録画装置に関する。
【背景技術】
【０００２】
犯罪手法の進化に伴い、監視録画システムの普遍性と重要性も高まっている。しかしながら、一般の市販されているカメラは外観上非常に容易に識別できるため、監視装置に必要な隠匿性が失われ、且つ悪人に簡単に気付かれ、破壊されたり避けて通られたりしてしまう。接続された電源線と画像伝送ケーブルも簡単に破壊され、監視装置の存在意義がなくなってしまう。
【考案の開示】
【考案が解決しようとする課題】
【０００３】
本考案の主な目的は、撮影監視機能を備え、且つ一般の電源供給コンセントに取り付けることができる照明カメラ設備は、偽装の効果を兼ね備えているだけでなく、画像伝送ケーブルを取り付ける必要もなく、簡単に監視録画システムの設置が可能である、電源供給コンセントを用いた監視録画装置を提供することにある。
【０００４】
本考案の第二の目的は、前記電力線通信モジュールが直接ネットワークカメラ及びネットワークビデオレコーダに内蔵されているため、使用者はネットワークカメラとネットワークビデオレコーダを電源に差し込むだけで電力線によりネットワーク接続ができ、ネットワーク接続を介してネットワークカメラの影像をネットワークビデオレコーダに伝送することができる、電源供給コンセントを用いた監視録画装置を提供することにある。
【０００５】
本考案の第三の目的は、上述のように、使用者が簡単に監視録画システムを取り付けることができ、基本的にネットワークカメラとネットワークビデオレコーダを電源に差し込むだけで設置動作を完了することができる、電源供給コンセントを用いた監視録画装置を提供することにある。
【課題を解決するための手段】
【０００６】
本考案の電源供給コンセントを用いた監視録画装置は、カメラ装置と表示録画装置を備え、そのうち前記カメラ装置はカメラモジュール、映像圧縮モジュール、第一電力線通信モジュール（PLC）を内蔵し、また、前記表示録画装置は表示録画モジュール、保存装置、プロセッサ、映像解凍モジュール、第二電力線通信モジュール（PLC）を内蔵し、そのうち、前記カメラ装置は収容空間を備えた照明カメラ設備（例：照明装置、ナイトライト）内に設置され、前記照明カメラ設備の電源プラグは一般の電源供給コンセントに合うものとし、これにより、撮影監視機能を備え、且つ一般の電源供給コンセントに取り付けることができる照明カメラ設備により、前記照明カメラ設備は偽装の効果を兼ね備えているだけでなく、画像伝送ケーブルを取り付ける必要もなく、簡単に監視録画システムの設置が可能である。
【考案の効果】
【０００７】
全部の図に示すように、本考案の使用時は従来技術と比較すると、次のような利点が確実に存在する。
一、           
撮影監視機能を備え、且つ一般の電源供給コンセント４に取り付け可能な照明カメラ設備２により、前記照明カメラ設備２は偽装の効果を兼ね備えているだけでなく、画像伝送ケーブルを設置する必要がない状況下で簡単に監視録画システムの設置を完了することができる。
二、           
第一電力線通信モジュール１０３及び第二電力線通信モジュール１１４を直接カメラ装置１０及び表示録画装置１１内に内蔵しているため、使用者はカメラ装置１０及び表示録画装置１１を電源に差し込むだけで電力線３によりネットワーク接続を完了し、ネットワーク接続を介してカメラ装置１０の影像を表示録画装置１１に伝送することができるため、画像伝送ケーブルを設置する必要がない状況下で簡単に監視録画システムの設置を完了することができる。
三、           
ネットワーク接続を利用し表示録画装置１１に伝送する際、ワイヤレスネットワーク方式でデータ伝送をするときのように、無線信号が遮蔽物により異なる程度の信号減衰を発生するということがない。
【考案を実施するための最良の形態】
【０００８】
図１、図２、図３に本考案の構成を示すブロック図、カメラ装置の立体図及び表示録画装置の立体図をそれぞれ示す。これらの図からはっきりと分かるように、本考案の電源供給コンセントを用いた監視録画装置１は、カメラ装置１０と表示録画装置１１を含み、そのうち、前記カメラ装置１０はカメラモジュール１０１、映像圧縮モジュール１０２及び第一電力線通信モジュール１０３（PLC）を内蔵し、また、前記表示録画装置１１は表示録画モジュール１１０、保存装置１１１、プロセッサ１１２、映像解凍モジュール１１３及び第二電力線通信モジュール１１４（PLC）を内蔵し、そのうち前記カメラ装置１０は照明カメラ設備２（例：LED照明装置、ナイトライト）内に設置され、前記照明カメラ設備２の電源プラグ２０２は一般の電源供給コンセント４に対応する。
【０００９】
上述のように、前記第一電力線通信モジュール１０３及び第二電力線通信モジュール１１４はあらかじめ電力線３システムで接続され、電力線３とカメラ装置１０が電気的に接続されると、第一電力線通信モジュール１０３と第二電力線通信モジュール１１４がカメラ装置１０及び表示録画装置１１の給電電源とネットワーク接続を提供し、前記カメラ装置１０はカメラモジュール１０１、映像圧縮モジュール１０２及び第一電力線通信モジュール１０３を内蔵しており、そのうち前記カメラモジュール１０１は電荷結合素子(CCD，Charge Coupled Device)または相補型金属酸化膜半導体(CMOS，Complementary
Metal-oxide Semiconductor)及び影像処理機能を含み、前記カメラモジュール１０１が受信したマルチメディアデータは前記映像圧縮モジュール１０２を介しあらかじめ定めた形式に圧縮され、第一電力線通信モジュール１０３を利用してマルチメディアデータの圧縮データを電力線３で前記表示録画装置１１に伝送して保存または再生を行う。
【００１０】
上述の前記カメラ装置１０は照明カメラ設備２内に設置され、LED照明装置を例とすると、同時に図４の本考案の最良の実施例のカメラ装置の断面図に示すように、前記LED照明装置はランプ殻体２０と基板体２１を含み、そのうち、前記ランプ殻体２０内に前記カメラ装置１０を設置可能な収容空間２０１が形成され、また前記殼体２０の一端に一般の電源供給コンセント４に対応する電源プラグ２０２が設置され、且つ前記基板体２１上に複数の光源部材５が設置され、前記光源部材５はLEDランプ５０とすることができ、複数の前記LEDランプ５０は可視光または赤外線のいずれかとすることができ、さらに前記基板体２１上に周囲の環境光線の強弱を感知し、自動的にLEDランプ５０を起動する感光部材６が設置され、さらに前記基板体２１のあらかじめ定めた位置に開口２１０が設けられ、且つ前記開口２１０箇所に前記カメラ装置１０と連結されたレンズ７が設置される。これにより、前記カメラ装置１０を一般の電源供給コンセント４に対応する電源プラグ２０２が設けられたLED照明装置内に設置することで、使用者はいかなる場合も電源プラグ２０２を利用して前記照明カメラ設備２を一般の電源供給コンセント４に設置するだめで、照明と監視の効果が得られ、同時に、前記カメラ装置１０は一般的な照明カメラ設備２内に設置されているため、偽装の効果も達せられる。
【００１１】
さらに、前記表示録画装置１１は表示録画モジュール１１０、保存装置１１１、プロセッサ１１２、映像解凍モジュール１１３及び第二電力線通信モジュール１１４（PLC）が設置されており、これによりマルチメディアデータの圧縮データが電力線３を介して伝送されると、前記表示録画装置１１が前記第二電力線通信モジュール１１４から受信し、且つ受信したマルチメディアデータ圧縮データを前記プロセッサ１１２で処理し、その後前記保存装置１１１に保存することができ、使用者が再生したいときは、プロセッサ１１２で前記保存装置１１１内のマルチメディアデータの圧縮データを前記映像解凍モジュール１１３に送って解凍を行い、さらにデータを解読して表示録画モジュール１１０で再生することができる。前記表示録画装置１１０はネットワークビデオレコーダ（NVR，Network
Video Recorder）またはその他装置とすることができる。
【００１２】
このほか、前記第一電力線通信モジュール１０３及び第二電力線通信モジュール１１４は電力線３で相互に接続されイーサネット（登録商標）を形成しているため、使用者は前記第一電力線通信モジュール１０３及び第二電力線通信モジュール１１４を通してネットワーク接続を行い、データ伝送の媒介とすることもできる。
【００１３】
上述の構造、構成設計に基づき、本考案の使用時の作動状況について、以下で説明する。同時に図５の本考案の最良の実施例のネットワーク接続図を参照する。図からはっきりと分かるように、前記照明カメラ設備２はLED照明装置を例とすると、使用者が前記LED照明装置を起動したいときは、前記LED照明装置上の電源プラグ２０２を一般の電源供給コンセント４に差し込むだけで、前記LED照明装置が電力を得、且つ内部のカメラ装置１０も起動され、同時に電力線３でネットワークに接続されて前記表示録画装置１１に接続され、前記LED照明装置上の基板体２１には複数のLEDランプ５０が環状に設置されており、且つ感光部材６で周囲の環境光線の強弱を感知して自動的にLEDランプ５０が起動される。この撮影監視機能を備え、且つ一般の電源供給コンセント４に取り付け可能な照明カメラ設備２により、照明カメラ設備２ａは偽装の効果を兼ね備えているだけでなく、周囲の環境を監視することもできる。
【００１４】
図６に本考案の別の最良の実施例のネットワーク接続図を示す。この図からはっきりと分かるように、前記照明カメラ設備２ａはナイトライトを例としており、ランプケース２０a内には前期カメラ装置１０a を設置することができる収容空間２０１aが形成され、またランプケース２０aのあらかじめ定めた位置にレンズ７aを設置し、使用者が前記ナイトライトを起動したいときは、前記ナイトライト上の電源プラグ２０２ａを一般の電源供給コンセント４ａに差し込むだけで、前記ナイトライトが電力を得、且つ内部のカメラ装置１０ａも起動され、同時に電力線３ａでネットワークに接続されて前記表示録画装置１１に接続され（図５参照）、前記ナイトライト上の基板体２１ａに複数の赤外線５１が設置されており、且つ感光部材６ａで周囲の環境の光線の強弱を感知して自動的に赤外線５１が起動される。この撮影監視機能を備え、且つ一般の電源供給コンセント４ａに取り付け可能な照明カメラ設備２ａにより、照明カメラ設備２ａは偽装の効果を兼ね備えているだけでなく、周囲の環境を監視することもできる。
【図面の簡単な説明】
【００１５】
【図１】本考案の構成を示すブロック図である。
【図２】本考案の最良の実施例のカメラ装置の構造を示す立体図である。
【図３】本考案の最良の実施例の表示録画装置を示す立体図である。
【図４】本考案の最良の実施例のカメラ装置の断面図である。
【図５】本考案の最良の実施例のネットワーク接続を示す立体図である。
【図６】本考案の別の最良の実施例のネットワーク接続を示す立体図である。
【符号の説明】
【００１６】
１          監視録画装置
１０、１０ａ    カメラ装置
１０１      カメラモジュール
１０２      映像圧縮モジュール
１０３      第一電力線通信モジュール
１１        表示録画装置
１１０      表示録画モジュール
１１１      保存装置
１１２      プロセッサ
１１３      映像解凍モジュール
１１４      第二電力線通信モジュール
２、２ａ    照明カメラ設備
２０、２０a        ランプ殻体
２０１、２０１a      収容空間
２０２、２０２ａ    電源プラグ
２１、２１ａ    基板体
２１０      開口
３、３ａ    電力線
４、４ａ    電源供給コンセント
５          光源部材
５０        LEDランプ
５１        赤外線
６、６ａ    感光部材
７、７a          レンズ
【図１】
0003147260.tif 000003
【図２】
0003147260.tif 000004
【図３】
0003147260.tif 000005
【図４】
0003147260.tif 000006
【図５】
0003147260.tif 000007
【図６】
0003147260.tif 000008
【手続補正書】
【提出日】平成20年10月21日(2008.10.21)
【手続補正１】
【補正対象書類名】実用新案登録請求の範囲
【補正対象項目名】請求項５
【補正方法】変更
【補正の内容】
【請求項５】
複数の前記LEDランプが可視光または赤外線のいずれかであることを特徴とする、請求項３に記載の電源供給コンセントを用いた監視録画装置。